(57)【要約】【課題】  Ｗｅｂページなどのコンテンツを計算能力や通信能力が制限された携帯型情報端末用に変換し配信する技術を実現する。【解決手段】  コンテンツ変換サーバ１０とコンテンツ配信サーバ３０と広告管理サーバ４０とが接続されたインターネット５０に、携帯型情報端末２０を接続し、コンテンツ変換サーバ１０にコンテンツ配信サーバ３０が保有するコンテンツを取り寄せる命令を送信し、コンテンツ変換サーバ１０がコンテンツ配信サーバ３０からコンテンツを取り寄せ、該コンテンツを操作可能な画像化コンテンツ２１に変換し、コンテンツ変換サーバ１０が広告管理サーバ４０から広告の一覧を取り寄せ、操作可能な画像化コンテンツ２１に該広告の一覧を埋め込んだものを携帯型情報端末２０に送信し、携帯型情報端末２０はコンテンツを表示する。【選択図】図１
2008071324.tif 000002
【特許請求の範囲】
【請求項１】
閲覧装置上において書類やＷｅｂページの閲覧をパソコンと同じように快適に行うための、コンテンツを画像に変換するステップ、コンテンツ内のイベントを抽出するステップ、画像化されたコンテンツと抽出されたイベントから閲覧装置用の軽量なコンテンツを生成するステップ、及び、変換されたコンテンツをネットワーク経由で送信するためのコンテンツ配信ステップから構成される、コンテンツ配信システム。
【請求項２】
請求項１記載の携帯端末用コンテンツ配信システムにおいて、画像に変換された前記コンテンツ上における前記イベントの発生位置を、前記閲覧装置とは独立に算出することを特長とする、イベント情報抽出システム。
【請求項３】
携帯端末にコンテンツをプッシュ配信するための、携帯端末からの送付可能コンテンツ問い合わせステップ、コンテンツ配信サーバからの送付可能コンテンツの有無を回答するステップ、及び、携帯端末への送付可能コンテンツの送付を行うステップから構成される、携帯端末への能動的コンテンツ配信システム。
【発明の詳細な説明】
【技術分野】
【０００１】  本発明は、通常の情報端末用のコンテンツを、計算資源や通信資源が限定された情報端末のために変換し送信するコンテンツ配信システムに関する。
【背景技術】
【０００２】  携帯電話などの携帯型の情報端末においてパソコン上と同様に書類やＷｅｂページ（以降、書類やＷｅｂページをコンテンツと総称する）の閲覧をすることに対する強い要望がある。【０００３】  携帯型の情報端末は、画面解像度、計算能力、通信速度、消費電力等の点で、パソコンに比べて能力が限定されており、パソコンのような通常の情報端末と同じ手法でコンテンツ閲覧用システムを実現すると、使いづらくストレスの多いシステムとなる。【０００４】  携帯型の情報端末上でパソコンと同じようにＷｅｂページを閲覧するための装置として、フルブラウザと呼ばれる装置が開発されている。フルブラウザは、携帯端末の小さな画面にパソコン用のＷｅｂページを表示するための様々な工夫が施されている。例えば、マウスカーソル、画面の拡大縮小機能、画像データの削減機能、が挙げられる。マウスカーソル機能はコンテンツ内の一部へのアクセスを改善している。例えば、Ｗｅｂページ内のリンクへのアクセスを容易にする。画面の拡大縮小は携帯端末の小さな画面における視認性を改善している。【０００５】  フルブラウザでは、パソコン用のＷｅｂページを表示する上で、パソコンと同じ手法を用いているため無駄が多い。例えば、画像を含むＷｅｂページをＷｅｂサーバから取得する場合、Ｗｅｂページを取得してから、そのＷｅｂページの内容を解析し、そこに含まれる画像を取得する処理を行う。例えば、Ｗｅｂページが３つの画像を含む場合、Ｗｅｂサーバに対して４回の接続を試みる必要がある。接続開始処理は、通信処理の中でも負荷の高い処理であり、結果としてフルブラウザの使用感を悪くしている。
【発明の開示】
【発明が解決しようとする課題】
【０００６】  本発明が解決しようとする課題は、コンテンツを限定された能力しかない情報端末用にコンテンツを変換することで、計算負荷や通信負荷を軽減しつつ、通常の情報端末と同様なコンテンツ閲覧を実現するためのシステムを実現することである。
【課題を解決するための手段および発明の効果】
【０００７】  携帯電話へのコンテンツ配信を効率的に行うためには、コンテンツの容量を小さくすることと、サーバへの接続回数を減らすことが肝要である。すなわち、送信すべきコンテンツを、できる限り容量の小さなコンテンツに変換し、１回の接続で送付することとした。
【０００８】  Ｗｅｂページはテキストコンテンツ、画像コンテンツ、及びマルチメディアコンテンツ等の複数のコンテンツを含むコンテンツであるが、閲覧者からの見た目は１枚の画像のように見える。
Ｗｅｂページを１枚の画像に変換することで、Ｗｅｂページを携帯電話に適した画像サイズに縮小することで、コンテンツの容量を小さくすることが可能になり、情報端末の計算負荷や通信負荷を軽減することが可能である。
Ｗｅｂページの画像化は、既存技術で可能である。
【０００９】  パソコンでＷｅｂページを閲覧する場合、ある部分に対して特定の操作を行うことで、コンテンツの状態が変化したり、別のコンテンツに切り替わる。これをコンテンツのイベントと呼ぶ。例えば、リンクと呼ばれる部分をクリックするとリンクに記述された別のＷｅｂページに切り替わる。
Ｗｅｂページを単に画像に変換しただけではリンクのようなイベントを含まないので、コンテンツの配信としては不十分であるので、イベントの情報をコンテンツから抽出することとした。
【００１０】  変換対象のコンテンツを通常の情報端末上の閲覧装置上に表示させ、コンテンツからイベントの発生する座標とイベントの処理内容を抽出するためＪａｖａＳｃｒｉｐｔプログラムを、その閲覧装置上で実行させることで、イベントの座標とイベントの処理内容を抽出することができる。
【００１１】  画像とイベントの情報が分離されているので、コンテンツ表示対象の情報端末上の閲覧装置上に、画像とイベントの情報を送信し、再実装する必要がある。
画像とイベントを別々の接続で送り、携帯端末上の適切なプログラムでイベント処理を行う方法、画像とイベントを同一の接続で送りイベント処理を携帯端末上の適切なプログラムで行う方法、及び、画像とイベントとイベント処理を行うプログラムを同一の接続で送る方法が考えられるが、接続回数を最小化するという観点から、後者を実現することとした。
画像とイベントを一つのファイルにまとめたもの「操作可能な画像化コンテンツ」と呼ぶ。操作可能な画像化コンテンツにはプログラムが含まれる場合もある。プログラムを含むことで、操作可能な画像化コンテンツの振る舞いを変更できるという利点がある。
【００１２】  画像とイベントとプログラムを一つのファイルにまとめる技術としては、既存の技術としてはＦｌａｓｈ技術が利用できる。Ｆｌａｓｈ技術は多くの携帯端末上で利用可能であることから、本技術を用いた応用システムを広く普及させるのに都合がよいが、他にＪａｖａ技術などの代替技術を用いても構わない。
【発明を実施するための最良の形態】
【００１３】  以下、実施例を用いて本発明のコンテンツ配信システムを詳細に説明する。
図１は本実施例の情報配信システムの構成図である。
本実施例のコンテンツ配信システムは、コンテンツ変換サーバ１０とコンテンツ配信サーバ３０と広告管理サーバ４０とが接続された通信回線５０に、携帯型情報端末２０が接続されることにより構成される。通信回線５０はインターネット通信網であることが好ましい。【００１４】  コンテンツ変換サーバ１０は、コンテンツ３２をコンテンツ配信サーバ３０から取得しコンテンツ３２を操作可能な画像化コンテンツ２１に変換する機能を備え、操作可能な画像化コンテンツ２１を携帯型情報端末２０に配布する。【００１５】  携帯型情報端末２０は、閲覧者が使用するもので、操作可能な画像化コンテンツ２１をディスプレイに表示する。【００１６】  コンテンツ配信サーバ３０は、Ｗｅｂページ等のコンテンツ３２を格納する記憶装置３１を備える。コンテンツ配信サーバ３０は、通信回線５０を介して要求されたコンテンツ３２を配信することができる。【００１７】  広告管理サーバ４０は、広告一覧を格納するための記憶装置４１を備え、コンテンツ変換サーバ１０からの要求に対して、広告一覧を配信する。【００１８】  図２は、本実施例のコンテンツ配信システムをソフトウェアの面から説明するブロック図である。
本実施例のコンテンツ配信システムは、画像化コンテンツ基盤プログラム１１を備えるコンテンツ変換サーバ１０とコンテンツ３２を備えるコンテンツ配信サーバ３０と広告一覧４２を備える広告管理サーバ４０とが互いに接続され、コンテンツ配信サーバ１０と携帯型情報端末２０が接続されることにより構成される。コンテンツ変換サーバ１０とコンテンツ配信サーバ３０と広告管理サーバ４０はそれぞれ独立したコンピュータに構築することが好ましいが、複数のサーバをひとつのコンピュータに一体化して構成しても良い。【００１９】  コンテンツ変換サーバ１０は携帯型情報端末２０からコンテンツ３２を要求されると、コンテンツ配信サーバ３０からコンテンツ３２を取得する。得られたコンテンツ３２はオペレーティングシステムの持つ機能（例えば、Ｍａｃ  ＯＳ  ＸのＷｅｂＫｉｔライブラリ）を用いて画像化され、携帯型情報端末２０上表示するのに適した大きさに拡大縮小される。【００２０】  コンテンツ変換サーバ１０は、コンテンツ３２のイベントに関する情報を取得するために、コンテンツ３２を表示し、イベント情報を取得するためのＪａｖａＳｃｒｉｐｔプログラムを実行することで、イベントの座標や種類を取得する。イベントとしては、リンクやフォームが挙げられる。ここでの表示は、実際の画面に表示されても良いし、コンテンツ変換サーバ１０のメモリ上などに仮想的に表示されてもよい。【００２１】  コンテンツ変換サーバ１０は、コンテンツ３２の画像とイベントの座標や種類と、広告管理サーバ４０から取得した広告一覧４２と、これらを操作するための画像化コンテンツ基盤プログラム１１をＦｌａｓｈファイルやＪａｖａアーカイブファイルとして結合し、操作可能な画像化コンテンツを得る。結合には、標準的に利用可能なＦｌａｓｈコンパイラやＪａｖａコンパイラを利用可能である。【００２２】  広告一覧４２は、広告の場所（ＵＲＬ）と広告を表示する時間の一覧であり、携帯型情報端末２０は広告一覧４２に従い、表示する広告及び時間を制御することで、定められた時間に広告が出現したり消えたりする効果を得ることができる。
【図面の簡単な説明】
【００２３】
【図１】本発明におけるコンテンツ配信システムの構成図である。
【図２】本発明におけるコンテンツ配信システムをソフトウェアの面から説明するブロック図である。
【符号の説明】
【００２４】  １０  コンテンツ変換サーバ
１１  画像化コンテンツ基盤プログラム
２０  携帯型情報端末
２１  操作可能な画像化コンテンツ
３０  コンテンツ配信サーバ
３１  コンテンツ保存用記憶装置
３２  コンテンツ
４０  広告管理サーバ
４１  広告一覧保存用記憶装置
４２  広告一覧
５０  通信回線
【図１】
2008071324.tif 000003
【図２】
2008071324.tif 000004